(57)【特許請求の範囲】
【請求項１】
呼出しをする加入者が呼出される加入者への接続を要求し、呼出しをする加入者と呼出される加入者とは異なったネットワークオペレータの２以上の加入者アクセスネットワークによりその登録番号範囲が共有されている地理的区域に割当てられており、呼出しをする加入者により要求された呼出される加入者への接続を設定するための接続クエストは１以上の通信ネットワークを経て呼出される加入者の加入者アクセスネットワークへ伝送される接続設定方法において、
呼出しをする加入者からの呼出される加入者への接続要求である接続リクエストとして地理的区域の登録番号範囲内の呼出される加入者を示す登録番号が送信され、呼出しをする加入者の加入者アクセスネットワークのネットワークオペレータは呼出される加入者の加入者アクセスネットワークのネットワークオペレータを決定し、この決定された呼出される加入者の加入者アクセスネットワークのネットワークオペレータのオペレータコードを前記呼出しをする加入者から送信された登録番号に対して接続リクエストの一部として追加し、呼出される加入者へ接続される加入者ラインは前記登録番号と前記追加されたオペレータコードとによって決定されることを特徴とする接続設定方法。
【請求項２】
オペレータコードは呼出される加入者の登録番号から決定され、前記接続リクエスト中に付加される請求項１記載の方法。
【請求項３】
オペレータコードは中央のサービス制御装置において決定される請求項２記載の方法。
【請求項４】
オペレータコードは加入者が割当てられている加入者アクセスネットワークの交換装置によって決定される請求項２記載の方法。
【請求項５】
オペレータコードは、呼出している加入者が割当てられている加入者アクセスネットワークの交換装置により接続リクエスト中に付加される請求項２乃至４のいずれか１項記載の方法。
【請求項６】
呼出しをする加入者が割当てられている加入者アクセスネットワークと呼出される加入者が割当てられている加入者アクセスネットワークとは別料金のネットワークであり、前記オペレータコードは、呼出されている加入者が割当てられている加入者アクセスネットワークの交換装置により接続リクエスト中に付加される請求項２乃至４のいずれか１項記載の方法。
【請求項７】
接続リクエストが正しい目的地の加入者アクセスネットワークへ導かれない場合に、目的地の加入者アクセスネットワークの交換装置によってオペレータコードが接続リクエスト中に入力される請求項２乃至４のいずれか１項記載の方法。
【請求項８】
オペレータコードは別料金の区域からローカル区域へのインターフェイスにおいて番号を検査される請求項１乃至７のいずれか１項記載の方法。
【請求項９】
オペレータコードは他の加入者アクセスネットワークへの連絡中継線を選択するために加入者アクセスネットワークにおいて番号を検査される請求項１乃至７のいずれか１項記載の方法。
【請求項１０】
呼出しをする加入者が割当てられている加入者アクセスネットワークと呼出される加入者が割当てられている加入者アクセスネットワークとは別料金のネットワークであり、呼出される加入者が割当てられている加入者アクセスネットワークとして料金の異なる複数の加入者アクセスネットワークが存在しており、接続を設定するために使用されるネットワークとして利用可能な料金のネットワークを選択するための別のオペレータコードが、呼出しをする加入者により送信される接続リクエストに含まれている請求項１乃至９のいずれか１項記載の方法。
【請求項１１】
その番号区域が異なったネットワークオペレータの２以上の加入者アクセスネットワークにより共有されている地理的区域の呼出される加入者への接続を求める接続リクエストの番号を検査する手段と、幾つかの他の交換装置のうち１つへの接続リクエストをさらに伝送する手段によって呼出しをする加入者から呼出される加入者へ接続を求める接続リクエストを受信するための受信装置とを有する交換装置において、
前記番号を検査する手段は、さらに交換装置が地理的区域の加入者アクセスネットワークオペレータに対する別々のオペレータコードにより決定されるように構成されており、オペレータコードは地理的区域の番号範囲内の呼出された加入者を決定する登録番号に付加して接続リクエストの一部として送信されることを特徴とする交換装置。
【請求項１２】
その番号区域が異なったネットワークオペレータの２以上の加入者アクセスネットワークにより共有されている地理的区域の呼出される加入者へ接続を求める接続リクエストを変更する手段と、変更された接続リクエストをさらに伝送する手段によって呼出しを行う加入者から呼出される加入者へ接続を求める接続リクエストを受信するための受信装置とを有する交換装置において、
変更する手段は、既に地理的区域の番号範囲内に入力されている呼出される加入者の登録番号に加えて、地理的区域の加入者アクセスネットワークオペレータに対する別々のオペレータコードが接続リクエスト中へ入力されるように構成されていることを特徴とする交換装置。
【請求項１３】
接続を要求する接続リクエスト中へ入力される登録番号を受信するための受信装置と、受信された登録番号が地理的区域の番号範囲内にある呼出された加入者を決定し異なったネットワークオペレータの２以上の加入者アクセスネットワークにより共有される登録番号を評価する手段によって、呼出しをする加入者から呼出された加入者へ接続を設定するためのサービス制御装置において、
評価手段は呼出された加入者の登録番号からオペレータコードを決定するように構成され、これは呼出された加入者が割当てられている地理的区域の加入者アクセスネットワークのネットワークオペレータを識別し、このオペレータコードを登録番号に付加して接続リクエスト中に入力させることを特徴とするサービス制御装置。
【発明の詳細な説明】
【０００１】
【発明の属する技術分野】
本発明は、呼出しをする加入者が呼出される加入者への接続を要求し、呼出される加入者は、その番号範囲が異なったネットワークオペレータの２以上の加入者アクセスネットワークにより共有されている地理的区域に割当てられており、要求された接続を設定するために、呼びリクエストは１以上の通信ネットワークを経て呼出される加入者の加入者アクセスネットワークへ伝送される接続設定方法と、その接続に使用される交換装置およびサービス制御装置に関する。
【０００２】
【従来の技術】
通常の接続設定方法では、接続リクエストは、呼出される加入者の登録番号を入力することによってその加入者へ送られる。登録番号は通信ネットワークを通る通路を予め決定し、その通路に沿って１ステップづつ評価される。即ち最初にローカルネットワーク区域と加入者交換装置をアドレスし、それから加入者交換装置の番号範囲内の呼出される加入者をアクセスする。この方法では、番号の可搬性は加入者の交換装置の番号範囲内のみで可能である。
【０００３】
米国特許第5,375,167 号明細書はより大きな番号範囲内における番号の可搬性を可能にする可能性について示している。
そこで記載されている方法では、幾つかの下位の交換装置の番号範囲は上位の交換装置により管理される。この場合に必要とされるとき、番号のブロックは下位交換装置のうちの１つによりリクエストされ、上位の交換装置によって割当てられる。その後呼びは設定された割当てにしたがって上位交換装置により伝送される。
【０００４】
しかしながら、これらの全ての方法では、異なったネットワークオペレータの幾つかの加入者アクセスネットワークが同一の地理的区域で利用可能である規制のない通信環境では、異なったネットワークオペレータの加入者アクセスネットワーク間に呼び番号の可搬性を与えることは可能ではない。
【０００５】
【発明が解決しようとする課題】
本発明は、“Public Network Operators−International Group ”による報告書“High level service description for number portability ”、1994年６月29日に提案されたように英国（ＵＫ）で呼び番号の可搬性の実現に対する可能な解決策として、規制のない通信環境における接続の設定方法からスタートしている。
【０００６】
呼び番号の可搬性は呼び転送またはＩＮ（インテリジェントネットワーク）サービスにより登録番号を変換することにより実現される。ローカルネットワーク区域の加入者が第１のネットワークオペレータから第２のネットワークオペレータへ変更し、加入者が自分の登録番号を引続き継続したいならば、このような呼び転送が第１のネットワークオペレータのアクセスネットワークに設置される。この登録番号を含んだ接続リクエストが第１のネットワークのサービスにより認識されるならば、接続リクエストは第２のネットワークへ導かれる。
【０００７】
この経路設定は接続リクエストのもとの登録番号の代わりに新しい登録番号を入力することにより達成され、この場合のために特別に作成された第２のアドレス公式に従って呼出される加入者をアドレスする。
【０００８】
この接続の設定は、加入者に対して２つの異なったタイプのアドレスが支持されなければならず、１人の加入者に対して２倍の数の登録番号が使用されるという欠点を有する。さらに、これは公共電話ネットワークで登録番号の供給を限定するという問題につながる（1997年１月では１５デジット）。
【０００９】
本発明の目的は、１つの、および同一の番号範囲を共有する異なったネットワークオペレータの加入者間の呼び番号の可搬性を可能にすることである。
【００１０】
【課題を解決するための手段】
この目的は、本発明の接続設定方法によって達成される。本発明は、呼出しをする加入者が呼出される加入者への接続を要求し、呼出しをする加入者と呼出される加入者とは異なったネットワークオペレータの２以上の加入者アクセスネットワークによりその登録番号範囲が共有されている地理的区域に割当てられており、呼出しをする加入者により要求された呼出される加入者への接続を設定するための接続クエストは１以上の通信ネットワークを経て呼出される加入者の加入者アクセスネットワークへ伝送される接続設定方法において、呼出しをする加入者からの呼出される加入者への接続要求である接続リクエストとして地理的区域の登録番号範囲内の呼出される加入者を示す登録番号が送信され、呼出しをする加入者の加入者アクセスネットワークのネットワークオペレータは呼出される加入者の加入者アクセスネットワークのネットワークオペレータを決定し、この決定された呼出される加入者の加入者アクセスネットワークのネットワークオペレータのオペレータコードを前記呼出しをする加入者から送信された登録番号に対して接続リクエストの一部として追加し、呼出される加入者へ接続される加入者ラインは前記登録番号と前記追加されたオペレータコードとによって決定されることを特徴とする。
【００１１】
本発明は地理的区域の番号範囲の加入者を示す登録番号に加えて、加入者が割当てられたアクセス区域のネットワークオペレータを示している接続リクエスト内のコードを転送するという考察に基づいている。このようにしてネットワークオペレータは加入者ラインをアドレスする付加的な冗長ディメンションを表示する。このコードの導入は簡単で特に均一な呼び伝送を可能にし、それにおいて接続リクエストはこれらのパラメータを評価することによって呼出される加入者へ伝送されるだけである。
【００１２】
最も簡単な場合、地理的区域はローカルネットワーク区域である。しかしながら国、または大陸全体の区域であってもよい。幾つかの加入者アクセスネットワークオペレータにより使用される共通の番号範囲のみが決定要素である。
【００１３】
登録番号の変換および変更はこの方法では必要とされず、したがって会計の問題も、公共電話ネットワークの登録番号の限定された供給による問題も生じない。
【００１４】
さらに別の利点は、このような呼び伝送方法が主要な介入をせずに今日の電話ネットワークで一体化されることができることである。
【００１５】
この場合、オペレータコードは、ＩＮサービスにより呼出される加入者の登録番号から有効に決定され、接続リクエスト中へ入力される。
【００１６】
しかしながら、オペレータコードを接続リクエスト中へ入力させる加入者端末によってオペレータコードが決定されることも可能である。ＩＮサービスが故障したならば、このようにして緊急の動作が、簡単で価格が効率的な方法により達成されることができる。
【００１７】
それに加えて、本発明の方法を使用すると、既知の呼び伝送方法よりも非常に簡単な方法で緊急動作を実行することができる。変換装置が故障したならば、前記方法は、もとの登録番号から生成された新しい登録番号を発見することを可能にせず、従って所望の加入者接続を可能にしない。
【００１８】
【発明の実施の形態】
本発明を添付図面を参照にして１実施形態により以下説明する。
この実施形態は、本発明にしたがった交換装置と、本発明にしたがったサービス制御装置を有する通信システム内で呼び伝送を行うための本発明の方法の動作を説明している。
【００１９】
図１は２つの別料金のネットワークＴＮ１およびＴＮ２と、４つの加入者アクセスネットワークＬＮ１乃至ＬＮ２３を有する通信システムを示している。ローカルネットワーク区域ＬＯＣ１の加入者は加入者アクセスネットワークＬＮ１を介して接続され、ローカルネットワーク区域ＬＯＣ２の加入者は加入者アクセスネットワークＬＮ２１乃至ＬＮ２３を介して接続される。加入者アクセスネットワークＬＮ１乃至ＬＮ２３に接続される端末の中の、２つの端末ＴＥＡとＴＥＢがその１例として示されており、これらは加入者アクセスネットワークＬＮ１またはＬＮ２３に接続され、２つの加入者ＡまたはＢへ割当てられる。加入者アクセスネットワークＬＮ１またはＬＮ２３はネットワークゲートウェイを介して別料金のネットワークＴＮ１およびＴＮ２へ接続されており、ネットワークゲートウェイのうち５つのゲートウェイＧＡＴ１乃至ＧＡＴ５が１例として示されている。
【００２０】
別料金のネットワークＴＮ１とＴＮ２は交換装置間に別料金のネットワーク接続を設定するために使用される一般的な別料金のネットワークを表している。この場合、別料金のネットワークＴＮ１およびＴＮ２は２つの異なった別料金のネットワークオペレータＯＰＴ１およびＯＰＴ２へ割当てられる。
【００２１】
両方の別料金のネットワークＴＮ１およびＴＮ２は類似の方法でローカルネットワーク区域の加入者アクセスネットワークへ接続され、したがって異なったローカルネットワーク区域の加入者アクセスネットワーク間の接続は別料金のネットワークＴＮ２と同様に別料金のネットワークＴＮ１を介して設定される。このようにして、別料金の接続をする度に２つの可能な別料金のネットワークＴＮ１とＴＮ２間で選択することが可能であり、それによって別料金の接続を設けるのに異なった状態を有する２つの別料金のネットワークオペレータＯＰＴ１とＯＰＴ２間で選択することが可能である。
【００２２】
通信システムがローカルネットワーク区域ＬＯＣ１とＬＯＣ２の加入者アクセスネットワークを接続するために１つのみの別料金のネットワークを有することも可能である。
【００２３】
加入者アクセスネットワークＬＮ１またはＬＮ２３は電話端末と私有分岐交換装置とを接続するために一般的なアクセスネットワークである。この場合、可能性のある電話端末には電話とファックス装置だけでなく、データプロセッサを接続するためのモデム、インターフェイスボードがある。これらはアナログ端末およびＩＳＤＮ（サービス総合デジタル網）端末であってもよい。端末ＴＥＡとＴＥＢはこのような電話端末である。
【００２４】
加入者アクセスネットワークＬＮ１乃至ＬＮ２３は１または幾つかの加入者交換装置から作られている。これらの加入者交換装置のうち加入者アクセスネットワークＬＮ１の１つの交換装置ＳＳＰが１例として示されている。加入者アクセスネットワークＬＮ１乃至ＬＮ２３のうちの１つに割当てられた全ての加入者端末は加入者アクセスラインを経てそれぞれの加入者アクセスネットワークのこのような交換装置と接続される。高い通信負荷のために、より大きな加入者アクセスネットワークはトランジット交換装置を含むこともできる。加入者アクセスネットワークの交換装置は横断方向のラインによって相互間でおよび別料金のネットワークＴＮ１とＴＮ２の１または幾つかのトランジット交換装置と接続されている。また異なった加入者アクセスネットワークＬＮ２１乃至ＬＮ２３の交換装置が横断方向のラインにより相互接続されることも可能である。
【００２５】
加入者アクセスネットワークＬＮ１乃至ＬＮ２３が無線ネットワーク、例えばＧＳＭ（Grobal System for Mobile Communications ）標準にしたがった自動車無線ネットワーク、またはＤＥＣＴ（Digital Enhanced Cordless Telephone ）標準にしたがった無線ネットワークであることも可能である。このような無線インターフェイスは加入者アクセスネットワークの１または幾つかの交換装置の部分であってもよく、即ちアクセスネットワークの加入者の一部のみが１または幾つかの無線ネットワークを介して接続される。
【００２６】
加入者アクセスネットワークＬＮ２１乃至ＬＮ２３は３つの異なったネットワークオペレータＯＰ２１乃至ＯＰ２３へ割当てられる。加入者アクセスネットワークＬＮ２１乃至ＬＮ２３は同じローカルネットワーク区域ＬＯＣ２をカバーするので、加入者アクセスネットワークＬＮ２１乃至ＬＮ２３はローカルネットワーク区域ＬＯＣ２の番号範囲を共有する。このようにして加入者アクセスネットワークＬＮ２１乃至ＬＮ２３は相互に並列に、同一の地理的区域の加入者に対して利用される。このようにローカルネットワーク区域ＬＯＣ２の加入者は、加入者の端末が接続される加入者アクセスネットワークＬＮ２１乃至ＬＮ２３を選択することができる。加入者アクセスネットワークの選択は加入者のネットワークオペレータを決定し、それによって加入者接続の適用可能な状況を決定する。個々の接続である別料金のネットワークオペレータの選択と対照的に、加入者アクセスネットワークの選択は加入者を発見するために通信システムで知られなければならない決定を表す。このようにして、加入者アクセスネットワークオペレータの選択は、呼出しを行う加入者の自由度ではなく、呼出される加入者の自由度を表している。
【００２７】
以下、異なったローカルネットワーク区域の加入者、即ち呼出しを行う加入者Ａと呼出される加入者Ｂとの間の接続の設定について説明する。
【００２８】
端末ＴＥＡを通じて、加入者Ａは呼出される加入者Ｂの登録番号Ｎにより接続リクエストを加入者交換中央局ＳＳＰへ送信し、ＳＳＰを経て端末ＴＥＡが接続される。
【００２９】
交換中央局ＳＳＰはサービス制御装置ＳＣＰにより通信サービスを与える特別に構成された交換装置である。
【００３０】
サービス制御装置ＳＣＰにより、交換中央局ＳＳＰは、接続リクエストが幾つかの加入者アクセスネットワークオペレータが位置されるローカルネットワーク区域の加入者へ導かれたか否かを決定する。このような状態であれば、登録番号Ｎを有するメッセージはサービス制御装置ＳＣＰへ送信され、ＳＣＰはこの登録番号Ｎから呼出される加入者へ割当てられた加入者アクセスネットワークオペレータ、即ちネットワークオペレータＯＰ２３を決定する。対応するオペレータコードＫＯＰ２３を有するメッセージは交換中央局ＳＳＰへ送り返される。コードＫＯＰ２３は交換中央局ＳＳＰによって登録番号Ｎに加えて接続リクエストへ入力される。
【００３１】
この場合、接続リクエストは単一または幾つかの連続的に送信されたシグナリングデータパケットからなり、これは１または幾つかの通信ネットワーク、この場合には通信ネットワークＬＮ１、ＴＮ２、ＬＮ２３によって呼出しを行う加入者から呼出される加入者の交換装置へ伝送される。この、またはこれらのシグナリングデータパケットは、このパケットまたはこれらのパケットが通過する交換装置で伝送の経路の誘導を制御するターゲット情報を含んでおり、それによって呼出しを行う加入者と呼出される加入者間の接続が設けられる。
【００３２】
呼出される加入者の加入者アクセスネットワークオペレータの決定が交換中央局ＳＳＰの論理装置によって行われることも可能であり、それによってサービス制御装置ＳＣＰが交換中央局ＳＳＰ中に統合される。
【００３３】
加入者アクセスオペレータに対するコードに加えて、別料金のネットワークオペレータに対するコードも接続リクエストに入力される。別料金のネットワークオペレータのコードは呼出された加入者に依存せず、加入者Ａにより自由に選択されることができる。所望の別料金のネットワークオペレータ、即ち別料金のネットワークオペレータＯＰＴ２は端末ＴＥＡを通じて加入者Ａにより交換装置へ送られ、したがって接続リクエストへ入力される。
【００３４】
しかしながら、別料金のネットワークオペレータの選択は交換中央局ＳＳＰのデータセット中で加入者Ａに対して既に設定されており、このようなシグナリングはそれ故省略されることも可能である。別料金のネットワークオペレータの選択が可能ではないならば、同じことが適用される。
【００３５】
接続リクエストが登録番号Ｎと別料金のネットワークオペレータコードＯＰＴ２に基づいて、交換中央局ＳＳＰにより別料金のネットワークＴＮ２の交換装置へ伝送される。登録番号Ｎにしたがって、接続リクエストが別料金のネットワークＴＮ２によりローカルネットワーク区域ＬＯＣ２に対して応答可能である特定のトランジット交換装置へ伝送される。
【００３６】
幾つかのトランジット交換装置がローカルネットワーク区域ＬＯＣ２に対して応答可能であり、このようにしてオペレータコードＫＬＮ２３が既に別料金のネットワークＴＮ２により予め評価されていることも可能である。
【００３７】
登録番号Ｎは接続リクエストがさらにローカルネットワーク区域ＬＯＣ２の加入者交換装置へ送られなければならないことをこのトランジット交換装置へ示す。オペレータコードＫＬＮ２３は接続リクエストが加入者アクセスネットワークＬＮ２３へ伝送されなければならないことを指示する。登録番号ＮとオペレータコードＫＬＮ２３のこの評価に基づいて、トランジット交換装置は接続リクエストをネットワークゲートウェイＧＡＴ３を経て加入者アクセスネットワークＬＮ２３の予め決定された交換装置へ伝送する。したがってオペレータコードの評価は別料金のネットワークからローカルネットワーク区域までの転送期間に行われる。
【００３８】
幾つかのネットワークゲートウェイが別料金のネットワークＴＮ２と加入者アクセスネットワークＬＮ２３との間で使用可能であるならば、トランジット交換装置は接続リクエストを加入者アクセスネットワークＬＮ２３の先に決定された幾つかの交換装置のうちの１つへさらに伝送することができる。この選択は予め定められた公式にしたがってまたは登録番号Ｎに基づいて行われる。
【００３９】
登録番号Ｎの評価によって、この交換装置は加入者アクセスネットワークＬＮ２３内部の接続リクエストを、加入者Ｂの端末ＴＥＢの接続を設定する加入者交換装置へ伝送する。
【００４０】
ターゲットの加入者交換装置は端末ＴＥＢへ呼びを送信し、加入者Ｂが受話器を上げたときに接続される。
【００４１】
以下、同じローカルネットワーク区域に割当てられているが異なった加入者アクセスネットワークへ割当てられている加入者間の接続の設定について説明する。
【００４２】
呼出しを行う加入者が接続されている加入者交換装置が、このような接続リクエストがその加入者のうちの１人に導かれないことを認識したならば、上述の説明と類似して、呼出される加入者が割当てられている加入者アクセスネットワークのオペレータコードを登録番号から決定し、オペレータコードを接続リクエストへ入力する。登録番号に基づいて、この交換装置は接続リクエストを加入者アクセスネットワークの交換装置へさらに伝送し、これはトランジット機能を行う。オペレータコードによって、この交換装置は、オペレータコードによって識別されたネットワークオペレータの加入者アクセスネットワークへネットワークゲートウェイを提供する横断方向のライン束を選択する。
【００４３】
ローカルネットワーク区域の加入者アクセスネットワーク間に横断方向のライン束が存在しないことも可能である。この場合、接続リクエストはトランジットネットワークのうちの１つへ伝送され、このトランジットネットワークはオペレータコードに基づいてターゲットの加入者アクセスネットワークへ接続リクエストを伝送する。接続はその後トランジットネットワークを経て設けられる。
【００４４】
呼出しを行っている加入者が接続されている加入者交換装置が、それ自体でこのトランジット機能を行うことも可能である。
【００４５】
図２を参照にしてオペレータコードが決定され、接続リクエストへ入力される交換中央局ＳＳＰとサービス制御装置ＳＣＰの構造を詳細に説明する。
【００４６】
図２は交換中央局ＳＳＰとサービス制御装置ＳＣＰが相互接続されて示されている。交換中央局ＳＳＰは交換ネットワークＳＷ１、２つの取付け装置インターフェイスＰＨ１とＰＨ２、２つの制御装置ＣＯＮＴＲ１およびＣＯＮＴＲ２、２つの通信装置ＫＯＭ１およびＫＯＭ２を含んでいる。サービス制御装置ＳＣＰはデータバンクＤＢ、制御装置ＣＯＮＴＲ３、通信装置ＫＯＭ３とを含んでいる。
【００４７】
取付け装置インターフェイスＰＨ１およびＰＨ２と通信装置ＫＯＭ１は交換ネットワークＳＷ１を介してデータを交換し、これは制御装置ＣＯＮＴＲ１により制御される。制御装置ＣＯＮＴＲ２は制御データを制御装置ＣＯＮＴＲ１と通信装置ＫＯＭ１およびＫＯＭ２と交換する。制御装置ＣＯＮＴＲ３はデータバンクＤＢへアクセスし、通信装置ＫＯＭ３とデータを交換し、ＫＯＭ３は通信装置ＫＯＭ２と接続され、したがって交換中央局ＳＳＰとの接続を設定する。
【００４８】
取付け装置インターフェイスＰＨ１およびＰＨ２は加入者が端末、特に端末ＴＥＡをアクセスすることを可能にする機能と、横断方向のライン束による他の交換装置への接続を可能にする。
【００４９】
通信装置ＫＯＭ１は端末から接続リクエストを受信し、他の交換装置へ接続リクエストを送信することを可能にする必要な機能的ハードウェアとソフトウェアグループを含んでいる。この場合、受信された接続リクエストと送信された接続リクエストは異なった形態を有し、例えばＩＳＤＮまたはアナログ接続リクエスト（インパルスまたは多周波数ダイヤリング）が受信され、接続リクエストはｎｏ．７シグナリングシステムにしたがって送信される。
【００５０】
通信装置ＫＯＭ２、ＫＯＭ３は交換中央局ＳＳＰとサービス制御装置ＳＣＰとの間でメッセージの伝送を行う。この場合、メッセージ交換装置はＩＮ（インテリジェントネットワーク）概念により設定される機構に対応している。このようにして例えば他の交換装置もまた同一方法でサービス制御装置ＳＣＰに接続されることが可能であり、このようにしてサービス制御装置ＳＣＰは幾つかの交換装置へそのサービスを提供する中心となる。前記交換装置は同一のネットワークオペレータまたは同一のローカルネットワーク区域に割当てられる。
【００５１】
制御装置ＣＯＮＴＲ１とＣＯＮＴＲ２は交換中央局ＳＳＰのデータ処理プラットフォーム上で動作する制御プログラムを具備している。この場合、制御装置ＣＯＮＴＲ１は接続が設定された時、通常の制御を行う。
【００５２】
制御装置ＣＯＮＴＲ２はサービス制御装置ＳＣＰを統合し、オペレータコードを入力する。
【００５３】
登録番号Ｎから、呼びが交換中央局ＳＳＰの加入者へ導かれていないことを制御装置ＣＯＮＴＲ２が決定したとき、それは、通信装置ＫＯＭ２、ＫＯＭ３を介して登録番号Ｎによりリクエストメッセージを制御装置ＣＯＮＴＲ３へ送信する。制御装置ＣＯＮＴＲ３は、登録番号Ｎに割当てられたオペレータコードを指示するかまたは接続リクエストが同じアクセスネットワークの加入者またはローカル領域の加入者アクセスネットワークを表すアクセスネットワークの加入者へ伝送されたことを指示する帰還メッセージを送信する。オペレータコードが制御装置ＣＯＮＴＲ２に対して指示されたならば、送信されるために接続リクエストに入力される。
【００５４】
交換中央局ＳＳＰの加入者ではない加入者への呼びの全てが、制御装置ＣＯＮＴＲ３へリクエストメッセージを送信するわけではないことも考えられる。このような呼びを行うための接続の設定は例えば非常に一般的な方法で行われることができ、リクエストメッセージの送信は最初に、加入者がターゲット加入者アクセスネットワークでは見つからないことを指示する帰還メッセージによりトリガーされる。この場合のみ、オペレータコードは制御装置ＣＯＮＴＲ３により決定され、制御装置ＣＯＮＴＲ２により接続リクエストへ入力される。接続の設定はこの変更された接続リクエストを伝送することにより再度試みられる。
【００５５】
ｎｏ．７シグナリングシステムが通信ネットワークＬＮ１乃至ＬＮ２３とＴＮ１とＴＮ２の交換装置間で使用されるならば、このコードは例えばＴＮＳ（Transit Network Selection ）に類似して、接続リクエストに対応するメッセージのパケットに入力されることができる。
【００５６】
データバンクＤＢは、登録番号への加入者ネットワークオペレータコードの割当てを含んだデータセットを管理する。このようにして、例えばアクセスネットワークＬＮ２３の加入者の登録番号はオペレータコードＫＬＮ２３を割当てられる。加入者の登録番号が変更されたとき、或いは加入者がネットワークオペレータを変更したときにデータバンクＤＢはそれに応じて調節されなければならない。
【００５７】
データバンクＤＢにより、制御装置ＣＯＮＴＲ３は登録番号に割当てられたオペレータコードを決定する。そのため、これは適切な検索アルゴリズムによりデータバンクＤＢをアクセスする。
【００５８】
交換中央局ＳＳＰは呼出しを行っている加入者が接続されている加入者交換装置ではない可能性もある。例えば接続リクエストがもとの加入者アクセスネットワークの加入者へ導かれないことが決定されたときに、これは接続リクエストが送られるもとの加入者アクセスネットワークの別の交換装置であることもある。これがネットワークゲートウェイを別料金のネットワークプレーンに提供するトランジット交換装置であることは利点である。
【００５９】
交換中央局ＳＳＰは別料金のネットワークＴＮ１およびＴＮ２の一方の交換装置であってもよい。好ましくは、これはローカル区域の加入者アクセスネットワークを接続し、異なったネットワークオペレータの加入者アクセスネットワークを含んだ交換装置であってもよい。
【００６０】
交換中央局ＳＳＰがローカルターゲットネットワーク区域の加入者アクセスネットワーク中に設けられることも可能である。オペレータコードの入力は結果的に例えば接続リクエストを誤った加入者アクセスネットワークへ伝送する。
【００６１】
図３はローカルネットワークオペレータを示すオペレータコードによって呼びを送る交換装置の構造を詳細に説明するために使用される。
【００６２】
図３はこのような交換装置ＥＸを示している。交換装置ＥＸは交換ネットワークＳＷ２、２つの取付け装置インターフェイスＰＨ３とＰＨ４、通信装置ＫＯＭ４、２つの制御装置ＣＯＮＴＲ３とＣＯＮＴＲ４を含んでいる。取付け装置インターフェイスＰＨ３とＰＨ４と通信装置ＫＯＭ４は制御装置ＣＯＮＴＲ４により制御される交換ネットワークＳＷ２を介してデータを交換する。データ交換はまた例えばＬＡＮ（構内通信網）などの異なった通信媒体を経て行われる。制御装置ＣＯＮＴＲ５は制御データを制御装置ＣＯＮＴＲ４と通信装置ＫＯＭ４と交換する。
【００６３】
取付け装置インターフェイスＰＨ３とＰＨ４、交換ネットワークＳＷ２、制御装置ＣＯＮＴＲ４は、図２の取付け装置インターフェイスＰＨ１とＰＨ２、交換ネットワークＳＷ１、制御装置ＣＯＮＴＲ１と類似した構成である。
【００６４】
通信装置ＫＯＭ４は類似の接続リクエストを受信し、送信するために必要なハードウェアおよびソフトウェアを含んでいる。
【００６５】
通信装置ＫＯＭ４から、制御装置ＣＯＮＴＲ４はオペレータコードＫＬＮ２３および接続リクエストへ入力された登録番号Ｎを受信する。制御装置はその後オペレータコードＫＬＮ２３のみ、またはオペレータコードＫＬＮ２３と登録番号Ｎによって、交換装置ＥＸに接続された横断方向のライン束のいずれのものがさらに接続リクエストを送るために使用されるかを決定する。制御装置ＣＯＮＴＲ５はこの制御情報を制御装置ＣＯＮＴＲ４へ導き、さらに伝送が行われる。
【図面の簡単な説明】
【図１】通信システムのブロック図。
【図２】本発明にしたがった交換装置と、図１の通信システムにおける本発明にしたがったサービス制御装置のブロック図。
【図３】図１の通信システムにおける本発明にしたがった交換装置のブロック図。
【図１】
0003923598.tif 000002
【図２】
0003923598.tif 000003
【図３】
0003923598.tif 000004